(57)【要約】      （修正有）【課題】内蔵式タッチ高分子分散型液晶構造を有する光学複合層の構造を提供する。【解決手段】内蔵式タッチ高分子分散型液晶構造を有する光学複合層の構造１０は、上透明基板１、下透明基板２、上透明導電層３、下透明導電層４及び高分子分散型液晶層５から構成され、上透明導電層３及び下透明導電層４により、高分子分散型液晶回路及びタッチ検出回路が形成される。また、上透明導電層３及び下透明導電層４の一方の端部に外部接続回路領域が設置されることにより、外部接続回路２０を介して外部の制御ユニット３０に電気的に接続される。タッチ検出回路をタッチ操作することにより、情報コマンドが外部の制御ユニット３０上に提供され、対応する高分子分散型液晶回路が高分子分散型液晶層５の関連する対応領域を駆動し、局部を透光又は不透光に変化させる。【選択図】図５
0003202630.tif 000002
【実用新案登録請求の範囲】
【請求項１】
上透明基板、上透明導電層、下透明基板、下透明導電層及び高分子分散型液晶層を備え、外部の制御ユニットに電気的に接続される内蔵式タッチ高分子分散型液晶構造を有する光学複合層の構造であって、
前記上透明基板は、一方の側面に上硬化層を有し、
前記上透明導電層は、前記制御ユニットに電気的に接続され、前記上硬化層の他方の側面に設けられ、
前記下透明基板は、一方の側面に下硬化層を有し、
前記下透明導電層は、前記制御ユニットに電気的に接続され、前記下硬化層の他方の側面に設けられて、前記上透明導電層に対向し、
前記高分子分散型液晶層は、前記上透明導電層と前記下透明導電層との間に設けられ、
前記上透明導電層は、上回路領域と、該上回路領域に電気的に接続される複数の上リード線と、該複数の上リード線に電気的に接続される上外部接続回路領域と、を有し、該上回路領域は、複数の横方向の電極線から構成され、該複数の電極線は、前記複数の上リード線の一方の端部に電気的に接続され、前記複数の上リード線の他方の端部は、前記上透明基板の一方の側部の上外部接続回路領域まで延伸され、
前記下透明導電層は、下回路領域と、該下回路領域に電気的に接続される複数の下リード線と、前記複数の下リード線に電気的に接続される下外部接続回路領域と、を有し、前記下回路領域は、複数の垂直方向のＸ軸電極線とＹ軸電極線とが交互に配列して構成され、前記複数のＸ軸電極線及び前記複数のＹ軸電極線は、前記複数の下リード線の一方の端部に電気的に接続され、前記複数の下リード線の他方の端部は、前記下透明基板の一方の側部の下外部接続回路領域上まで延伸され、
前記上回路領域及び前記下回路領域が生成するタッチ信号は、前記制御ユニットに出力され、前記制御ユニットが前記上回路領域及び前記下回路領域を介して前記高分子分散型液晶層の動作を駆動することを特徴とする内蔵式タッチ高分子分散型液晶構造を有する光学複合層の構造。
【請求項２】
前記上透明導電層及び前記下透明導電層は、無機導電材料又は有機導電材料であることを特徴とする請求項１に記載の内蔵式タッチ高分子分散型液晶構造を有する光学複合層の構造。
【請求項３】
前記有機導電材料は、カーボンナノチューブ又はポリエチレンジオキシチオフェン（Ｐｏｌｙ−３，４−Ｅｔｈｙｌｅｎｅｄｉｏｘｙｔｈｉｏｐｈｅｎｅ：ＰＥＤＯＴ）であることを特徴とする請求項２に記載の内蔵式タッチ高分子分散型液晶構造を有する光学複合層の構造。
【請求項４】
前記上透明導電層及び前記下透明導電層の厚さは、１００ｎｍ〜１０μｍであることを特徴とする請求項１に記載の内蔵式タッチ高分子分散型液晶構造を有する光学複合層の構造。
【請求項５】
前記高分子分散型液晶層は、樹脂を主成分とし、ＵＶ硬化樹脂、熱硬化樹脂、二酸化ケイ素又は前述の少なくとも２種類以上の組み合わせを含んで構成されることを特徴とする請求項１に記載の内蔵式タッチ高分子分散型液晶構造を有する光学複合層の構造。
【請求項６】
前記光学複合層の構造の下透明基板又は上透明基板の一方の側面には、光学接着層によって透光固定基板が接着固定されることを特徴とする請求項１に記載の内蔵式タッチ高分子分散型液晶構造を有する光学複合層の構造。
【請求項７】
前記上透明導電層と前記下透明導電層と前記高分子分散型液晶層との間には、第１光学透明絶縁層と第２光学透明絶縁層とを有し、前記第１光学透明絶縁層は、前記上透明導電層と前記高分子分散型液晶層との間に設けられ、前記第２光学透明絶縁層は、前記下透明導電層と前記高分子分散型液晶層との間に設けられることを特徴とする請求項１に記載の内蔵式タッチ高分子分散型液晶構造を有する光学複合層の構造。
【請求項８】
前記複数の高分子分散型液晶電極線の幅は、前記複数のＸ軸電極線及び前記複数のＹ軸電極線の幅以上であることを特徴とする請求項１に記載の内蔵式タッチ高分子分散型液晶構造を有する光学複合層の構造。
【請求項９】
上透明基板、上透明導電層、下透明基板、下透明導電層及び高分子分散型液晶層を備え、外部の制御ユニットに電気的に接続される内蔵式タッチ高分子分散型液晶構造を有する光学複合層の構造であって、
前記上透明基板は、一方の側面に上硬化層を有し、
前記上透明導電層は、前記制御ユニットに電気的に接続され、前記上硬化層の他方の側面に設けられ、
前記下透明基板は、一方の側面に下硬化層を有し、
前記下透明導電層は、前記制御ユニットに電気的に接続され、前記下硬化層の他方の側面に設けられて、前記上透明導電層に対向し、
前記高分子分散型液晶層は、前記上透明導電層と前記下透明導電層との間に設けられ、
前記上透明導電層は、上回路領域と、前記上回路領域に電気的に接続される複数の上リード線と、前記複数の上リード線に電気的に接続される上外部接続回路領域と、を有し、前記上回路領域は、複数の横方向のＸ軸電極線と高分子分散型液晶電極線とが交互に配列して構成され、前記複数のＸ軸電極線及び前記複数の高分子分散型液晶電極線は、前記複数の上リード線の一方の端部に電気的に接続され、前記複数の上リード線の他方の端部は、前記上透明基板の一方の側部の上外部接続回路領域まで延伸され、
前記下透明導電層は、下回路領域と、前記下回路領域に電気的に接続される複数の下リード線と、前記複数の下リード線に電気的に接続される下外部接続回路領域と、を有し、前記下回路領域は、複数の垂直方向のＹ軸電極線と高分子分散型液晶電極線とが交互に配列して構成され、前記複数のY軸電極線及び前記複数の高分子分散型液晶電極線は、前記複数の下リード線の一方の端部に電気的に接続され、前記複数の下リード線の他方の端部は、前記下透明基板の一方の側部の下外部接続回路領域上まで延伸され、
前記上回路領域及び前記下回路領域が生成するタッチ信号は、前記制御ユニットに出力され、前記制御ユニットが前記上回路領域及び前記下回路領域を介して前記高分子分散型液晶層の動作を駆動することを特徴とする内蔵式タッチ高分子分散型液晶構造を有する光学複合層の構造。
【請求項１０】
前記上透明導電層及び前記下透明導電層は、無機導電材料又は有機導電材料であることを特徴とする請求項９に記載の内蔵式タッチ高分子分散型液晶構造を有する光学複合層の構造。
【請求項１１】
前記有機導電材料は、カーボンナノチューブ又はポリエチレンジオキシチオフェン（Ｐｏｌｙ−３，４−Ｅｔｈｙｌｅｎｅｄｉｏｘｙｔｈｉｏｐｈｅｎｅ：ＰＥＤＯＴ）であることを特徴とする請求項１０に記載の内蔵式タッチ高分子分散型液晶構造を有する光学複合層の構造。
【請求項１２】
前記上透明導電層及び前記下透明導電層の厚さは、１００ｎｍ〜１０μｍであることを特徴とする請求項９に記載の内蔵式タッチ高分子分散型液晶構造を有する光学複合層の構造。
【請求項１３】
前記高分子分散型液晶層は、樹脂を主成分とし、ＵＶ硬化樹脂、熱硬化樹脂、二酸化ケイ素又は前述の少なくとも２種類以上の組み合わせを含んで構成されることを特徴とする請求項９に記載の内蔵式タッチ高分子分散型液晶構造を有する光学複合層の構造。
【請求項１４】
前記光学複合層の構造の下透明基板又は上透明基板の一方の側面には、光学接着層によって透光固定基板が接着固定されることを特徴とする請求項９に記載の内蔵式タッチ高分子分散型液晶構造を有する光学複合層の構造。
【請求項１５】
前記上透明導電層と前記下透明導電層と前記高分子分散型液晶層との間は、第１光学透明絶縁層と第２光学透明絶縁層とを有し、前記第１光学透明絶縁層は、前記上透明導電層と前記高分子分散型液晶層との間に設けられ、前記第２光学透明絶縁層は、前記下透明導電層と前記高分子分散型液晶層との間に設けられることを特徴とする請求項９に記載の内蔵式タッチ高分子分散型液晶構造を有する光学複合層の構造。
【請求項１６】
前記複数の高分子分散型液晶電極線の幅は、前記複数のＸ軸電極線及び前記複数のＹ軸電極線の幅以上であることを特徴とする請求項９に記載の内蔵式タッチ高分子分散型液晶構造を有する光学複合層の構造。
【請求項１７】
上透明基板、上透明導電層、下透明基板、下透明導電層及び高分子分散型液晶層を備え、外部の制御ユニットに電気的に接続される内蔵式タッチ高分子分散型液晶構造を有する光学複合層の構造であって、
前記上透明基板は、一方の側面に上硬化層を有し、
前記上透明導電層は、前記制御ユニットに電気的に接続され、前記上硬化層の他方の側面に設けられ、
前記下透明基板は、一方の側面に下硬化層を有し、
前記下透明導電層は、前記制御ユニットに電気的に接続され、前記下硬化層の他方の側面に設けられ、前記上透明導電層に対向し、
前記高分子分散型液晶層は、前記上透明導電層と前記下透明導電層との間に設けられ、
前記上透明導電層は、上回路領域と、前記上回路領域に電気的に接続される複数の上リード線と、前記複数の上リード線に電気的に接続される上外部接続回路領域と、を有し、前記上回路領域は、複数の横方向の電極線から構成され、前記複数の電極線は、前記複数の上リード線の一方の端部に電気的に接続され、前記複数の上リード線の他方の端部は、前記上透明基板の一方の側部の上外部接続回路領域まで延伸され、
前記下透明導電層は、下回路領域と、前記下回路領域に電気的に接続される複数の下リード線と、前記複数の下リード線に電気的に接続される下外部接続回路領域と、を有し、前記下回路領域は、複数の垂直方向のＸ軸電極線、Ｙ軸電極線及び高分子分散型液晶電極線から構成され、前記複数のＸ軸電極線及び前記複数のＹ軸電極線は、前記複数の高分子分散型液晶電極線の一方の側部上に位置し、前記複数のＸ軸電極線、前記複数のＹ軸電極線及び前記複数の高分子分散型液晶電極線は、前記複数の下リード線の一方の端部に電気的に接続され、前記複数の下リード線の他方の端部は、前記下透明基板の一方の側部の下外部接続回路領域上まで延伸され、
前記上回路領域及び前記下回路領域が生成するタッチ信号は、前記制御ユニットに出力され、前記制御ユニットが前記上回路領域及び前記下回路領域を介して前記高分子分散型液晶層の動作を駆動することを特徴とする内蔵式タッチ高分子分散型液晶構造を有する光学複合層の構造。
【請求項１８】
前記上透明導電層及び前記下透明導電層は、無機導電材料又は有機導電材料であることを特徴とする請求項１７に記載の内蔵式タッチ高分子分散型液晶構造を有する光学複合層の構造。
【請求項１９】
前記有機導電材料は、カーボンナノチューブ又はポリエチレンジオキシチオフェン（Ｐｏｌｙ−３，４−Ｅｔｈｙｌｅｎｅｄｉｏｘｙｔｈｉｏｐｈｅｎｅ：ＰＥＤＯＴ）であることを特徴とする請求項１８に記載の内蔵式タッチ高分子分散型液晶構造を有する光学複合層の構造。
【請求項２０】
前記上透明導電層及び前記下透明導電層の厚さは、１００ｎｍ〜１０μｍであることを特徴とする請求項１７に記載の内蔵式タッチ高分子分散型液晶構造を有する光学複合層の構造。
【請求項２１】
前記高分子分散型液晶層は、樹脂を主成分とし、ＵＶ硬化樹脂、熱硬化樹脂、二酸化ケイ素又は前述の少なくとも２種類以上の組み合わせを含んで構成されることを特徴とする請求項１７に記載の内蔵式タッチ高分子分散型液晶構造を有する光学複合層の構造。
【請求項２２】
前記光学複合層の構造の下透明基板又は上透明基板の一方の側面には、光学接着層によって透光固定基板が接着固定されることを特徴とする請求項１７に記載の内蔵式タッチ高分子分散型液晶構造を有する光学複合層の構造。
【請求項２３】
前記上透明導電層と前記下透明導電層と前記高分子分散型液晶層との間は、第１光学透明絶縁層と第２光学透明絶縁層とを有し、前記第１光学透明絶縁層は、前記上透明導電層と前記高分子分散型液晶層との間に設けられ、前記第２光学透明絶縁層は、前記下透明導電層と前記高分子分散型液晶層との間に設けられることを特徴とする請求項１７に記載の内蔵式タッチ高分子分散型液晶構造を有する光学複合層の構造。
【請求項２４】
前記複数の高分子分散型液晶電極線の幅は、前記複数のＸ軸電極線及び前記複数のＹ軸電極線の幅以上であることを特徴とする請求項１７に記載の内蔵式タッチ高分子分散型液晶構造を有する光学複合層の構造。
【考案の詳細な説明】
【技術分野】
【０００１】
本考案は、光学複合層の構造に関し、特に、高分子分散型液晶層とタッチ透明導電層とが結合された複合層の構造に関する。
【背景技術】
【０００２】
高分子分散型液晶（Ｐｏｌｙｍｅｒ  Ｄｉｓｐｅｒｓｅｄ  Ｌｉｑｕｉｄ  Ｃｒｙｓｔａｌ：ＰＤＬＣ）は、異方性の液晶液滴が高分子中に均一に分布するものである。電場を印加しない状況の下では、異方性の液晶が高分子間に均一に分散し、各液晶分子の配向ベクトルがランダムな方向を向いている。この際、液晶の光屈折率と高分子の光屈折率が異なるため、入射光が散乱し、光透過率が低い。しかし、電場を印加すると、液晶が電場に沿って配列し、液晶の光の屈折率と高分子の光の屈折率とが等しくなり、大部分の光が透過するようになる。この原理を利用し、導電ガラスなどの透明基板中にＰＤＬＣを封止し、電場の変化（オン／オフ）を利用することにより、透明基板を透明又は不透明（すりガラス）にすることができるスマートガラスが存在する。スマートガラスは、住居窓の遮光制御、プライバシー保護などに使用されている。近年では、技術レベルが高まり、導電ガラスに高分子分散型液晶を封止する技術のみならず、軟性導電透明プラスチックに高分子分散型液晶を封止する技術が開発され、製造工程が簡素になり、関連製品の応用性が高まっている。例えば、透明接着技術によって軟性プラスチックに高分子分散型液晶を封止した構造が建築ガラス、車両窓、冷蔵庫、投影壁などに貼合されて応用されている。
【０００３】
近年では、電場領域又はドットマトリクスを利用してＰＤＬＣの透光に変化を与え、外部の有線又は無線のスイッチ及びタッチ操作が組み合わされた技術が開発された。図１に示すＰＤＬＣ層にタッチ層が結合された積層構造は、高分子分散型液晶複合層１００、第１光学接着層２００及びタッチ複合層３００を含む。高分子分散型液晶複合層１００は、上透明基板１０１、下透明基板１０２、上透明導電層１０３、下透明導電層１０４及びＰＤＬＣ層１０５を含む。タッチ複合層３００は、第１光学接着層２００の一方の側面上に設けられる。タッチ複合層３００は、少なくとも、第１タッチ複合層３０１、第２タッチ複合層３０２、第２光学接着層３０３及び光学保護層３０４を含む。以上の構造により、画面上の画像に変化を与え、便利に操作できるが、構造が複雑であり、材料コストが高く、光学構造の透光度が大幅に低下する。
【先行技術文献】
【特許文献】
【０００４】
【特許文献１】ＷＯ２０１０−０７４１４４号公報
【考案の概要】
【考案が解決しようとする課題】
【０００５】
本考案の第１の目的は、２つの透明基板の透明導電層を有する一方の側面にＰＤＬＣ層が挟設され、透明導電層は、ＰＤＬＣ層を駆動してタッチ反応を生成するＰＤＬＣ回路及びタッチ検出回路を有し、透明導電層の一方の端部は、外部接続回路を介して制御ユニットに電気的に接続される光学複合層の構造を提供することにある。
本考案の第２の目的は、光学接着層によって透光固定基板が貼合され、光学複合層貼合構造が構成される光学複合層の構造を提供することにある。
本考案の第３の目的は、各導電層のタッチ検出回路及びＰＤＬＣ回路がエッチングによって制作される光学複合層の構造を提供することにある。
【課題を解決するための手段】
【０００６】
上述の課題を解決するために、本考案は、内蔵式タッチ高分子分散型液晶構造を有する光学複合層の構造を提供するものである。本考案の内蔵式タッチ高分子分散型液晶構造を有する光学複合層の構造は、外部の制御ユニットに電気的に接続され、上透明基板、上透明導電層、下透明基板、下透明導電層及び高分子分散型液晶層を含む。上透明基板は、一方の側面に上硬化層を有する。上透明導電層は、制御ユニットに電気的に接続され、上硬化層の一方の側面上に設けられる。下透明基板は、一方の側面に下硬化層を有する。下透明導電層は、制御ユニットに電気的に接続され、下硬化層の一方の側面上に設けられ、上透明導電層に対向する。高分子分散型液晶層は、上透明導電層と下透明導電層との間に設けられる。上透明導電層は、上回路領域と、上回路領域に電気的に接続される複数の上リード線と、複数の上リード線に電気的に接続される上外部接続回路領域と、を有する。下透明導電層は、下回路領域と、下回路領域に電気的に接続される複数の下リード線と、複数の下リード線に電気的に接続される下外部接続回路領域と、を有する。上回路領域及び下回路領域が生成するタッチ信号は、制御ユニットに出力され、制御ユニットが上回路領域及び下回路領域を介して高分子分散型液晶層の動作を駆動する。
【０００７】
本考案の一実施形態中、上回路領域は、複数の横方向の電極線から構成され、複数の電極線は、複数の上リード線の一方の端部に電気的に接続され、複数の上リード線の他方の端部は、上透明基板の一方の側部の上外部接続回路領域まで延伸される。下回路領域は、複数の垂直方向のＸ軸電極線とＹ軸電極線とが交互に配列して構成され、複数のＸ軸電極線及び複数のＹ軸電極線は、複数の下リード線の一方の端部に電気的に接続され、複数の下リード線の他方の端部は、下透明基板の一方の側部の下外部接続回路領域上まで延伸される。
【０００８】
本考案の一実施形態中、上回路領域は、複数の横方向のＸ軸電極線と高分子分散型液晶電極線とが交互に配列して構成され、複数のＸ軸電極線及び複数の高分子分散型液晶電極線は、複数の上リード線の一方の端部に電気的に接続され、複数の上リード線の他方の端部は、上透明基板の一方の側部の上外部接続回路領域まで延伸される。下回路領域は、複数の垂直方向のＹ軸電極線と高分子分散型液晶電極線とが交互に配列して構成され、複数のY軸電極線及び複数の高分子分散型液晶電極線は、複数の下リード線の一方の端部に電気的に接続され、複数の下リード線の他方の端部は、下透明基板の一方の側部の下外部接続回路領域上まで延伸される。
【０００９】
本考案の一実施形態中、上回路領域は、複数の横方向の電極線から構成され、複数の電極線は、複数の上リード線の一方の端部に電気的に接続され、複数の上リード線の他方の端部は、上透明基板の一方の側部の上外部接続回路領域まで延伸される。下回路領域は、複数の垂直方向のＸ軸電極線、Ｙ軸電極線及び高分子分散型液晶電極線から構成され、複数のＸ軸電極線及び複数のＹ軸電極線は、複数の高分子分散型液晶電極線の一方の側部上に位置し、複数のＸ軸電極線、複数のＹ軸電極線及び複数の高分子分散型液晶電極線は、複数の下リード線の一方の端部に電気的に接続され、複数の下リード線の他方の端部は、下透明基板の一方の側部の下外部接続回路領域上まで延伸される。
【００１０】
本考案の一実施形態中、上透明導電層、下透明導電層は、無機導電材料又は有機導電材料である。
【００１１】
本考案の一実施形態中、有機導電材料は、カーボンナノチューブ又はポリエチレンジオキシチオフェン（Ｐｏｌｙ−３，４−Ｅｔｈｙｌｅｎｅｄｉｏｘｙｔｈｉｏｐｈｅｎｅ：ＰＥＤＯＴ）である。
【００１２】
本考案の一実施形態中、上透明導電層、下透明導電層の厚さは、１００ｎｍ〜１０μｍである。
【００１３】
本考案の一実施形態中、高分子分散型液晶層は、樹脂を主成分とし、ＵＶ硬化樹脂、熱硬化樹脂、二酸化ケイ素又は前述の少なくとも２種類以上の組み合わせを含んで構成される。
【００１４】
本考案の一実施形態中、光学複合層の構造の下透明基板又は上透明基板の一方の側面には、光学接着層によって透光固定基板が接着固定される。
【００１５】
本考案の一実施形態中、上透明導電層と下透明導電層と高分子分散型液晶層との間は、第１光学透明絶縁層と第２光学透明絶縁層とを有し、第１光学透明絶縁層は、上透明導電層と高分子分散型液晶層との間に設けられ、第２光学透明絶縁層は、下透明導電層と高分子分散型液晶層との間に設けられる。
【００１６】
本考案の一実施形態中、複数の高分子分散型液晶電極線の幅は、複数のＸ軸電極線及び複数のＹ軸電極線の幅以上である。
【図面の簡単な説明】
【００１７】
【図１】従来の光学複合層の構造を示す断面図である。
【図２】本考案の第１実施形態による光学複合層の構造を示す断面図である。
【図３】図２の上透明基板を示す平面図である。
【図４】図２の下透明基板を示す平面図である。
【図５】本考案の第２実施形態による光学複合層の構造に外部の制御ユニットが電気的に接続された状態を示す断面図である。
【図６】本考案の第３実施形態による上透明基板を示す平面図である。
【図７】本考案の第３実施形態による下透明基板を示す平面図である。
【図８】本考案の第４実施形態による下透明基板を示す平面図である。
【図９】本考案の第５実施形態による上透明基板を示す平面図である。
【図１０】本考案の第５実施形態による下透明基板を示す平面図である。
【図１１】本考案の第６実施形態による光学複合層の構造を示す断面図である。
【図１２】本考案の第７実施形態による光学複合層の構造を示す断面図である。
【考案を実施するための形態】
【００１８】
本考案の目的、特徴及び効果を示す実施形態を図面に沿って詳細に説明する。
【００１９】
（第１実施形態）
図２〜図４を参照する。図２は、本考案の第１実施形態による光学複合層の構造を示す断面図である。図３は、図２の上透明基板を示す平面図である。図４は、図２の下透明基板を示す平面図である。図２〜図４に示すように、本考案の内蔵式タッチ高分子分散型液晶（ＰＤＬＣ）構造を有する光学複合層の構造１０は、上透明基板１、下透明基板２、上透明導電層３、下透明導電層４及び高分子分散型液晶（Ｐｏｌｙｍｅｒ  Ｄｉｓｐｅｒｓｅｄ  Ｌｉｑｕｉｄ  Ｃｒｙｓｔａｌ：ＰＤＬＣ）層５からなる。
【００２０】
上透明基板１及び下透明基板２は、透光プラスチック又は透光ガラス基板である。透光プラスチックは、ポリエチレンテレフタラート（Ｐｏｌｙｅｔｈｙｌｅｎｅ  Ｔｅｒｅｐｈｔｈａｌａｔｅ：ＰＥＴ）、ポリエチレン（Ｐｏｌｙｅｔｈｙｌｅｎｅ：ＰＥ）、ポリイミド（Ｐｏｌｙｉｍｉｄｅ：ＰＩ）、ナイロン（Ｎｙｌｏｎ，Ｐｏｌｙａｍｉｄｅ：ＰＡ）、ポリウレタン（Ｐｏｌｙｕｒｅｔｈａｎｅｓ：ＰＵ）、アクリルなどである。上透明基板１及び下透明基板２の厚さは、１０μｍ〜１０ｍｍであり、好ましくは、２０μｍ〜５００μｍである。また、上透明基板１及び下透明基板２の一方の側面には、硬化処理が行われて上硬化層１１及び下硬化層２１が形成される。上硬化層１１及び下硬化層２１に使用される材料は、屈折率が１．１〜３．５のアクリル、エポキシ樹脂、二酸化ケイ素又はそれら２種類以上の組み合わせである。上硬化層１１及び下硬化層２１の厚さは、５００ｎｍ〜５０μｍであり、好ましくは、１μｍ〜５μｍである。
【００２１】
上透明導電層３は、上硬化層１１の一方の側面に設けられる。上透明導電層３は、透光率が７０％〜９５％の無機導電材料の金属酸化物である銀、ナノ銀、ＩＴＯ（Ｉｎｄｉｕｍ  Ｔｉｎ  Ｏｘｉｄｅ）など、或いは、有機導電材料であるカーボンナノチューブ、ポリエチレンジオキシチオフェン（Ｐｏｌｙ−３，４−Ｅｔｈｙｌｅｎｅｄｉｏｘｙｔｈｉｏｐｈｅｎｅ：ＰＥＤＯＴ）などが使用される。乾式又は湿式のエッチングによって回路又は導電領域が形成され、厚さは、５ｎｍ〜５０μｍであり、好ましくは、１００ｎｍ〜１０μｍである。また、上透明導電層３は、上回路領域３１、複数の上リード線３２及び上外部接続回路領域３３を含む。上回路領域３１は、複数の横方向のＰＤＬＣ電極線３１１から構成される。複数のＰＤＬＣ電極線３１１は、複数の上リード線３２の一方の端部に電気的に接続される。複数の上リード線３２の他方の端部は、上透明基板１の一方の側部の上外部接続回路領域３３まで延伸される。図３中、上外部接続回路領域３３は、外部の外部接続回路（図示せず）に電気的に接続される。
【００２２】
下透明導電層４は、下硬化層２１の一方の側面に設けられ、上透明導電層３に対向する。下透明導電層４は、透光率が７０％〜９５％の無機導電材料の金属酸化物である銀、ナノ銀、ＩＴＯ（Ｉｎｄｉｕｍ  Ｔｉｎ  Ｏｘｉｄｅ）など、或いは、有機導電材料であるカーボンナノチューブ、ポリエチレンジオキシチオフェン（Ｐｏｌｙ−３，４−Ｅｔｈｙｌｅｎｅｄｉｏｘｙｔｈｉｏｐｈｅｎｅ：ＰＥＤＯＴ）などが使用される。乾式又は湿式のエッチングによって回路又は導電領域が形成され、厚さは、５ｎｍ〜５０μｍであり、好ましくは、１００ｎｍ〜１０μｍである。また、下透明導電層４は、下回路領域４１、複数の下リード線４２及び下外部接続回路領域４３を含む。下回路領域４１は、複数の垂直方向のＸ軸電極線４１１とＹ軸電極線４１２とが交互に配列して構成される。複数のＸ軸電極線４１１及び複数のＹ軸電極線４１２は、複数の下リード線４２の一方の端部に電気的に接続される。複数の下リード線４２の他方の端部は、下透明基板２の一方の側部の下外部接続回路領域４３上まで延伸される。図４中、下外部接続回路領域４３は、外部の外部接続回路（図示せず）に電気的に接続される。
【００２３】
ＰＤＬＣ層５は、上透明導電層３と下透明導電層４との間に設けられ、厚さは、１μｍ〜１００μｍである。ＰＤＬＣ層は、導電後の透光率が５０％〜８０％で、屈折率が１．５〜５．５のＰＤＬＣ樹脂を主成分とし、ＵＶ硬化樹脂、熱硬化樹脂、二酸化ケイ素又は前述の少なくとも２種類以上の組み合わせを含んで構成される。
【００２４】
上述の上透明基板１、下透明基板２、上透明導電層３、下透明導電層４及びＰＤＬＣ層５の各層構造により、内蔵式タッチ高分子分散型液晶（ＰＤＬＣ）構造を有する光学複合層の構造１０が構成される。
【００２５】
（第２実施形態）
図５を参照する。図５は、本考案の第２実施形態による光学複合層の構造に外部の制御ユニットが電気的に接続された状態を示す断面図である。図３及び図４も同時に参照する。図５に示すように、本実施形態中、軟性の外部接続回路２０の一方の端部は、上透明導電層３の上外部接続回路領域３３及び下透明導電層４の下外部接続回路領域４３上に電気的に接続される。外部接続回路２０の他方の端部は、外部の制御ユニット３０に電気的に接続される。ユーザは、光学複合層の構造１０のタッチ検出回路をタッチ操作することにより、情報コマンドを外部の制御ユニット３０上に提供することができ、対応する高分子分散型液晶回路が高分子分散型液晶（ＰＤＬＣ）層５の関連する対応領域を駆動し、局部を透光又は不透光に変化させ、例えば、ホワイトボード、ＰＤＬＣのグレースケール式の透光変化、ＰＤＬＣの局部透光制御などを行うことができる。
【００２６】
（第３実施形態）
図６及び図７を参照する。図６は、本考案の第３実施形態による上透明基板を示す平面図である。図７は、本考案の第３実施形態による下透明基板を示す平面図である。図６及び図７に示すように、本考案の第３実施形態は、図１〜図４に示す実施形態と略同一であり、異なる点は、上透明導電層３の上回路領域３１ａが複数の横方向のＸ軸電極線３１１ａとＰＤＬＣ電極線３１２ａとが交互に配列して構成される。複数のＸ軸電極線３１１ａ及び複数のＰＤＬＣ電極線３１２ａは、複数の上リード線３２の一方の端部に電気的に接続される。複数の上リード線３２の他方の端部は、上透明基板１の一方の側部の上外部接続回路領域３３まで延伸される。
【００２７】
下透明導電層４の下回路領域４１ａは、複数の垂直方向のＹ軸電極線４１１ａとＰＤＬＣ電極線４１２ａとが交互に配列して構成される。複数のＹ軸電極線４１１ａ及び複数のＰＤＬＣ電極線４１２ａは、複数の下リード線４２の一方の端部に電気的に接続される。複数の下リード線４２の他方の端部は、下透明基板２の一方の側部の下外部接続回路領域４３上まで延伸される。
【００２８】
（第４実施形態）
図８を参照する。図８は、本考案の第４実施形態による下透明基板を示す平面図である。本考案の第４実施形態は、図１〜図４に示す実施形態と略同一であり、異なる点は、下透明導電層４の下回路領域４１ｂが複数の垂直方向のＸ軸電極線４１１ｂ、Ｙ軸電極線４１２ｂ及びＰＤＬＣ電極線４１３ｂから構成される。複数のＸ軸電極線４１１ｂ、複数のＹ軸電極線４１２ｂ及び複数のＰＤＬＣ電極線４１３ｂの配列は、複数のＸ軸電極線４１１ｂ及び複数のＹ軸電極線４１２ｂが複数のＰＤＬＣ電極線４１３ｂの一方の側部上に位置する。複数のＸ軸電極線４１１ｂは、複数のＰＤＬＣ電極線４１３ｂの右側又は左側に位置することができ、複数のＹ軸電極線４１２ｂは、複数のＰＤＬＣ電極線４１３ｂの右側又は左側に位置することができる。複数のＸ軸電極線４１１ｂ、複数のＹ軸電極線４１２ｂ及び複数のＰＤＬＣ電極線４１３ｂは、複数の下リード線４２の一方の端部に電気的に接続される。複数の下リード線４２の他方の端部は、下透明基板２の一方の側部の下外部接続回路領域４３上まで延伸される。図８中、複数のＰＤＬＣ電極線４１３ｂの幅は、複数のＸ軸電極線４１１ｂ及び複数のＹ軸電極線４１２ｂの幅以上である。
【００２９】
（第５実施形態）
図９及び図１０を参照する。図９は、本考案の第５実施形態による上透明基板を示す平面図である。図１０は、本考案の第５実施形態による下透明基板を示す平面図である。本考案の第５実施形態は、図１〜図４に示す実施形態と略同一であり、異なる点は、上透明導電層３の上回路領域３１ｃが複数の横方向のＸ軸電極線３１１ｃとＰＤＬＣ電極線３１２ｃとが交互に配列して構成される。複数のＸ軸電極線３１１ｃ及び複数のＰＤＬＣ電極線３１２ｃは、複数の上リード線３２の一方の端部に電気的に接続される。複数の上リード線３２の他方の端部は、上透明基板１の一方の側部の上外部接続回路領域３３まで延伸される。図９中、複数のＰＤＬＣ電極線３１２ｃの幅は、複数のＸ軸電極線３１１ｃの幅以上である。
【００３０】
下透明導電層４の下回路領域４１ｃは、複数の垂直方向のＹ軸電極線４１１ｃとＰＤＬＣ電極線４１２ｃとが交互に配列して構成される。複数のＹ軸電極線４１１ｃ及び複数のＰＤＬＣ電極線４１２ｃは、複数の下リード線４２の一方の端部に電気的に接続される。複数の下リード線４２の他方の端部は、下透明基板２の一方の側部の下外部接続回路領域４３上まで延伸される。図１０中、複数のＰＤＬＣ電極線４１２ｃの幅は、複数のＹ軸電極線４１１ｃ以上である。
【００３１】
（第６実施形態）
図１１を参照する。図１１は、本考案の第６実施形態による光学複合層の構造を示す断面図である。本考案の第６実施形態は、図２に示す実施形態と略同一であり、異なる点は、上透明導電層３と下透明導電層４とＰＤＬＣ層５との間が第１光学透明絶縁層６と第２光学透明絶縁層７を有する。第１光学透明絶縁層６は、上透明導電層３とＰＤＬＣ層５との間に設けられ、第２光学透明絶縁層７は、下透明導電層４とＰＤＬＣ層５との間に設けられる。図１１中、第１光学透明絶縁層６及び第２光学透明絶縁層７は、アクリル、エポキシ樹脂、二酸化ケイ素又は以上の材料の組み合わせからなる。
【００３２】
（第７実施形態）
図１２を参照する。図１２は、本考案の第７実施形態による光学複合層の構造を示す断面図である。図１２に示すように、本実施形態においては、光学複合層の構造１０の下透明基板２又は上透明基板１の一方の側面に光学接着層４０によって透光固定基板５０が接着される。透光固定基板４０は、ガラス窓又は透光プラスチックであり、建物のガラス壁、建物のガラス窓、ショーウィンドー、低温貯蔵庫のガラス窓、車、船、飛行機のフロントガラス、プライバシー保護機能付き窓などに運用される。図１２中、光学接着層４０の厚さは、１μｍ〜１０００μｍであり、屈折率が１．１〜３．５の間の光学接着塗料又は光学接着フィルムである。
【００３３】
以上の説明は、本考案の実施形態を示すものであり、本考案の実施範囲を限定するものではなく、本考案の実用新案登録請求の範囲に基づく同等効果の変更及び修飾は、何れも本考案に含まれる。
【符号の説明】
【００３４】
１００  高分子分散型液晶複合層
２００  第１光学接着層
３００  タッチ複合層
１０１  上透明基板
１０２  下透明基板
１０３  上透明導電層
１０４  下透明導電層
１０５  高分子分散型液晶層
３０１  第１タッチ複合層
３０２  第２タッチ複合層
３０３  第２光学接着層
３０４  光学保護層
１０  光学複合層の構造
１  上透明基板
１１  上硬化層
２  下透明基板
２１  下硬化層
３  上透明導電層
３１  上回路領域
３１ａ  上回路領域
３１ｃ  上回路領域
３１１  ＰＤＬＣ電極線
３１２ａ  ＰＤＬＣ電極線
３１２ｃ  ＰＤＬＣ電極線
３１１ａ  Ｘ軸電極線
３１１ｃ  Ｘ軸電極線
３２  上リード線
３３  上外部接続回路領域
４  下透明導電層
４１  下回路領域
４１ａ  下回路領域
４１ｂ  下回路領域
４１ｃ  下回路領域
４１１  Ｘ軸電極線
４１１ｂ  Ｘ軸電極線
４１２  Ｙ軸電極線
４１１ａ  Ｙ軸電極線
４１２ｂ  Ｙ軸電極線
４１１ｃ  Ｙ軸電極線
４１２ａ  ＰＤＬＣ電極線
４１３ｂ  ＰＤＬＣ電極線
４１２ｃ  ＰＤＬＣ電極線
４２  下リード線
４３  下外部接続回路領域
５  高分子分散型液晶層
６  第１光学透明絶縁層
７  第２光学透明絶縁層
２０  外部接続回路
３０  制御ユニット
４０  光学接着層
５０  透光固定基板
【図１】
0003202630.tif 000003
【図２】
0003202630.tif 000004
【図３】
0003202630.tif 000005
【図４】
0003202630.tif 000006
【図５】
0003202630.tif 000007
【図６】
0003202630.tif 000008
【図７】
0003202630.tif 000009
【図８】
0003202630.tif 000010
【図９】
0003202630.tif 000011
【図１０】
0003202630.tif 000012
【図１１】
0003202630.tif 000013
【図１２】
0003202630.tif 000014